(57)【要約】【課題】竹の子の芯切りを容易にかつ確実に切断できる竹の子切断工具を提供する。【解決手段】端部にフック１４、１４を備えるワイヤ１０、１２と、三日月形状の板面を有する第１三日月板２２と、第１三日月板２２の両側部に設けられ、ワイヤ１０、１２のフック１４、１４にそれぞれ着脱自在に係合するシャフト２６、２８と、第１三日月板２２の中央部に固定される支柱４０と、第１三日月板２２の板面におけるシャフト２６、２８に対して中央部寄りに形成され、ワイヤ１０、１２を通す孔部２２ｂ、２２ｃとを備え、竹の子の側部にワイヤ１０を巻き返し、反対側の側部にワイヤ１２を巻き返し、ワイヤ１０、１２に張力を加えることによって竹の子の切断を行う。【選択図】図１
2013099453.tif 000002
【特許請求の範囲】
【請求項１】
竹の子を切断する竹の子切断工具であって、
端部にフックをそれぞれ有する第１のワイヤ及び第２のワイヤと、
三日月形状の板面を有する第１の三日月板と、
当該第１の三日月板の一方の側部に設けられ、前記第１のワイヤのフックに着脱自在に係合する第１の係合部と、
前記第１の三日月板の他方の側部に設けられ、前記第２のワイヤのフックに着脱自在に係合する第２の係合部と、
前記第１の三日月板の中央部に固定される支柱と、
前記第１の三日月板の板面における前記第１の係合部に対して中央部寄りに形成される第１の孔部と、
前記第１の三日月板の板面における前記第２の係合部に対して中央部寄りに形成される第２の孔部と、を備え、
前記第１のワイヤのフックを前記第１の係合部に係合させ、前記第１のワイヤを前記竹の子の側部に巻き返して前記第１の孔部に通し、前記第２のワイヤのフックを前記第２の係合部に係合させ、前記第２のワイヤを前記竹の子における前記側部に対して反対側の側部に巻き返して前記第２の孔部に通し、前記第１の孔部及び前記第２の孔部に通した前記第１のワイヤ及び第２のワイヤを引っ張って張力を加えることによって、前記竹の子の切断を行うことを特徴とする竹の子切断工具。
【請求項２】
前記支柱は、前記第１の三日月板を、三日月形状において突出している方向に回動させる回動部を備えたことを特徴とする請求項１記載の竹の子切断工具。
【請求項３】
前記第１の孔部及び前記第２の孔部に、前記第１のワイヤ及び第２のワイヤをガイドするローラを設けたことを特徴とする請求項１又は２記載の竹の子切断工具。
【請求項４】
前記第１の係合部及び前記第２の係合部は、一端が前記第１の三日月板に固定された棒状部材からなり、
前記第１の三日月板に対向配置され、前記棒状部材の他端に固定される第２の三日月板を更に備えたことを特徴とする請求項１乃至３のいずれか１項記載の竹の子切断工具。
【発明の詳細な説明】
【技術分野】
【０００１】
本発明は、竹の子の芯切りに適用する竹の子切断工具に関する。
【背景技術】
【０００２】
従来より、配電線路直下に竹林がある場合、この竹林に生えた竹の子を放置すると、配電線路に竹が接触して配電線路に悪影響を及ぼすおそれがある。このため、竹の子が柔らかいうちに、上部を芯切して丈を短くする作業を行う必要がある。
【０００３】
従来の芯切り作業は、芯切する際に竹を揺らして折ったり、竹を傾斜させ刃物やのこぎりを用いて切断している。
【０００４】
また、従来、高い場所にある枝を切断する技術として、特許文献１に記載されたロープ鋸がある。このロープ鋸は、２本のロープと、この２本のロープの中間部に設ける任意形状柔軟切削具と、一方のロープの端に連結する紐と、この紐の先端に取り付ける重りとを備えている。そして、重りを切断する枝や末留めの箇所まで竹竿等で挙げるか、投げ挙げるかして、重りにつけた紐を手元に手繰り寄せ、紐に連結しているロープを引いて任意形状柔軟切削具を切断したい枝や末留めしたい箇所まで引き上げる。そして、両手でロ−プを交互に引いて枝を切断する。
【先行技術文献】
【特許文献】
【０００５】
【特許文献１】実用新案登録第３１１６９７４号公報
【発明の概要】
【発明が解決しようとする課題】
【０００６】
しかしながら、特許文献１のロープ鋸を、ある程度成長した竹の子の芯切りに用いた場合、竹の子の所定部位に任意形状柔軟切削具を位置付けて、ロープを交互に引くことになるが、その際、竹の子がしなることによって竹の子から任意形状柔軟切削具が外れてしまう。このため、特許文献１のロープ鋸を用いることができない。また、刃物を使用して竹の子の芯切りを行うことは、作業者が誤って怪我をする可能性がある。
【０００７】
そこで、刃物を使用せずに、成長した竹の子であってもその竹の子の芯切りを容易にかつ確実に切断できる竹の子切断工具の出現が望まれている。
【０００８】
本発明は、竹の子の芯切りを容易にかつ確実に切断できる竹の子切断工具を提供することを目的とする。
【課題を解決するための手段】
【０００９】
前記目的を達成するため、本発明は、次に記載する構成を備えている。
【００１０】
（１）  竹の子を切断する竹の子切断工具であって、端部にフックをそれぞれ有する第１のワイヤ及び第２のワイヤと、三日月形状の板面を有する第１の三日月板と、当該第１の三日月板の一方の側部に設けられ、前記第１のワイヤのフックに着脱自在に係合する第１の係合部と、前記第１の三日月板の他方の側部に設けられ、前記第２のワイヤのフックに着脱自在に係合する第２の係合部と、前記第１の三日月板の中央部に固定される支柱と、前記第１の三日月板の板面における前記第１の係合部に対して中央部寄りに形成される第１の孔部と、前記第１の三日月板の板面における前記第２の係合部に対して中央部寄りに形成される第２の孔部と、を備え、前記第１のワイヤのフックを前記第１の係合部に係合させ、前記第１のワイヤを前記竹の子の側部に巻き返して前記第１の孔部に通し、前記第２のワイヤのフックを前記第２の係合部に係合させ、前記第２のワイヤを前記竹の子における前記側部に対して反対側の側部に巻き返して前記第２の孔部に通し、前記第１の孔部及び前記第２の孔部に通した前記第１のワイヤ及び第２のワイヤを引っ張って張力を加えることによって、前記竹の子の切断を行うことを特徴とする竹の子切断工具。
【００１１】
（１）によれば、例えば、作業員が、竹の子の下方において、第１の三日月板を対向させ、第１のワイヤと第２のワイヤを交差させるように竹に巻き付け、フックを係合部に係合させる。そして、作業員が、支柱を持ち上げて第１の三日月板を竹の子の所定部位に対向させて、第１のワイヤと第２のワイヤとを同時に引っ張る。これにより、第１のワイヤと第２のワイヤとに張力がかかり、竹の子の所定部位が２本のワイヤによって絞り込まれて切断される。このように、竹の子の芯切りを容易にかつ確実に切断することが可能になり、しかも、刃物等を用いていないため切断作業の安全性が向上する。
【００１２】
（２）  （１）において、前記支柱は、前記第１の三日月板を、三日月形状において突出している方向に回動させる回動部を備えたことを特徴とする竹の子切断工具。
【００１３】
（２）によれば、第１の三日月板の凹部に竹を対向させた状態を維持しながら、本体部を上方に移動させることが可能になるため、ワイヤを巻き付けた状態の本体部を円滑に移動させることが可能になる。
【００１４】
（３）  （１）又は（２）において、前記孔部に、前記ワイヤをガイドするローラを設けたことを特徴とする竹の子切断工具。
【００１５】
（３）によれば、第１、第２のワイヤを引っ張った際に、第１、第２のワイヤの移動に沿ってローラが回転する。これにより、第１、第２のワイヤが第１の三日月板に摺接することが低減され、第１、第２のワイヤが傷むことを防止することができる。
【００１６】
（４）  （１）〜（３）において、前記第１の係合部及び前記第２の係合部は、一端が前記第１の三日月板に固定された棒状部材からなり、前記第１の三日月板に対向配置され、前記棒状部材の他端に固定される第２の三日月板を更に備えたことを特徴とする竹の子切断工具。
【００１７】
（４）によれば、第１の係合部及び第２の係合部が第１の三日月板及び第２の三日月板によって支持されるため、係合部の強度が増加し、第１の係合部及び第２の係合部に第１、第２のワイヤからの張力がかかった際に、第１の係合部及び第２の係合部が破損することを防止することができる。
【発明の効果】
【００１８】
本発明によれば、竹の子の芯切りを容易にかつ確実に切断することが可能になり、しかも、刃物等を用いていないため切断作業の安全性が向上する。
【図面の簡単な説明】
【００１９】
【図１】本発明の一実施形態における竹の子切断工具１の要部構成を模式的に示す斜視図である。
【図２】本発明の一実施形態における竹の子切断工具１の要部構成を模式的に示す側面図である。
【図３】本体部２０と延長柱６０との連結構造を示す図である。
【図４】図１においてフック１４を外した状態を示す斜視図である。
【発明を実施するための形態】
【００２０】
以下、本発明の実施形態について、図面を参照しながら詳細に説明する。
図１は、本発明の一実施形態における竹の子切断工具１の要部構成を模式的に示す斜視図、図２は、本発明の一実施形態における竹の子切断工具１の要部構成を模式的に示す側面図である。竹の子切断工具１は、２本のワイヤ１０、１２と、本体部２０と、延長柱６０とを備えている。
【００２１】
図１に示すように、ワイヤ１０、１２は、少なくとも竹の子の周囲を巻き返す程度ことが可能な長さ（例えば、１ｍ）の細い金属線である。ここで、竹の子とは、地面から生えた後数日経過してある程度成長し、葉が生えてくる前の比較的柔らかい未成竹を指している。ワイヤ１０、１２の一端にはフック１４が固定されており、他端にはリング１６が固定されている。
【００２２】
本体部２０は、第１三日月板２２と、第２三日月板２４と、係合部に相当するシャフト２６、２８と、ローラ３０と、支柱４０とを備えている。
【００２３】
第１三日月板２２は、三日月形状の板面を有する金属板である。第１三日月板２２の板面の中央部に支柱４０が挿入可能な孔部２２ａが形成されており、この孔部２２ａの両側の近傍に孔部２２ｂ、２２ｃが形成されている。
【００２４】
孔部２２ｂ、２２ｃは、ワイヤ１０、１２を通す略正方形の貫通孔である。孔部２２ｂ、２２ｃの大きさは、ワイヤ１０、１２のフック１４、１４よりも小さく、リング１６、１６よりも大きく設定されている。このため、フック１４、１４は孔部２２ｂ、２２ｃを通過しないが、リング１６、１６は孔部２２ｂ、２２ｃを通すことが可能である。また、孔部２２ｂ、２２ｃの内部には、略正方形の四辺の近傍にそれぞれローラ３０が設置されている。
【００２５】
第２三日月板２４は、三日月形状の板面を有する金属板であり、第１三日月板２２に対向配置される。
【００２６】
シャフト２６、２８は、第１三日月板２２の両側部に一端部が固定され、第２三日月板２４の両側部に他端部が固定されており、フック１４、１４を係合させる。ここで、第１三日月板２２におけるシャフト２６と孔部２２ｂ及びシャフト２８と孔部２２ｃは、孔部２２ｃを通る第１三日月板２２の二等分線に対して線対称の位置にあり、孔部２２ｂ、２２ｃは、シャフト２６、２８に対して中央部寄りに形成されている。
【００２７】
ローラ３０は、孔部２２ｂ、２２ｃの内部における略正方形の四辺の近傍に設置され、孔部２２ｂ、２２ｃを通るワイヤ１０、１２をガイドする。ローラ３０は、孔部２２ｂ、２２ｃの内部にそれぞれ４つ設置されており、各ローラ３０の回転軸は略正方形の四辺に沿っている。ワイヤ１０、１２は、孔部２２ｂ、２２ｃに挿入され、４つのローラ３０は移動するワイヤ１０、１２が当接した場合に回転する。
【００２８】
支柱４０は、図２（Ａ）に示すように、第１支柱部４２と、軸受け部４４と、第２支柱部４６、円筒体４８とを備えている。第１支柱部４２は、第１三日月板２２及び第２三日月板２４を支持する。具体的に、第１三日月板２２の孔部２２ａに第１支柱部４２が挿入され、例えば、溶接によって支柱４０と第１三日月板２２とが固定される。次に、第１支柱部４２の端部に、第２三日月板２４が溶接あるいはねじ止めによって固定される。なお、第１支柱部４２の他端部は、軸受け部４４に連結される。なお、図１においては、第１支柱部４２の背後を図示するため、第１支柱部４２を一部省略して記載している。
【００２９】
軸受け部４４は、第１支柱部４２と第２支柱部４６とを回動自在に連結する。ここで、第１支柱部４２は、図２（Ａ）に示すように、第２支柱部４６とともに一本の直線となる状態から、図２（Ｂ）に示すように、第２支柱部４６に対して４５度傾いた状態となるまで回動可能である。また、軸受け部４４には、図示しないトーションバネが設けられている。このトーションバネにより、第１支柱部４２が回動した場合に、第１支柱部４２は、第２支柱部４６と一本の直線となる状態に戻るように付勢される。本実施形態においては、第１支柱部４２と第２支柱部４６とが一本の直線となる状態から、第１三日月板２２及び第２三日月板２４において三日月形状が突出している方向（図２（Ａ）中Ａ方向）に回動する。また、円筒体４８は、第２支柱部４６の端部に連結される。
【００３０】
図３は、円筒体４８と延長柱６０との連結構造を示す斜視図である。円筒体４８には、開口縁部の一部から円筒体４８の中心軸方向に沿って切り欠き、更に、円筒体４８の周方向に沿って切り欠いてなるＬ字型のスリット５０が形成されている。また、Ｌ字型のスリット５０の先端にはスリット５０の幅より若干大きい直径の円孔５２が形成されている。
【００３１】
延長柱６０は、長尺の円柱状部材であり、円筒体４８に挿入可能な径である。延長柱６０の先端部には、延長柱６０の軸方向に対して垂直方向にボルト６２が取り付けられており、このボルト６２の先端部には、ナット６４が螺合している。ボルト６２の太さは、スリット５０の幅よりも小さく、ナット６４の外径の大きさは円孔５２の径よりも大きく設定されている。そして、延長柱６０のボルト６２をスリット５０に対向させて、延長柱６０を円筒体４８に挿入して、延長柱６０を回動させることにより、ボルト６２は、円孔５２に位置付けられる。そして、ナット６４を締め付けることにより、延長柱６０が本体部２０に連結される。
【００３２】
次に、図１を参照しながら、ワイヤ１０、１２の本体部２０への取り付けについて説明する。ワイヤ１０を取り付ける際には、第１三日月板２２と第２三日月板２４との間にリング１６を通し、更に、リング１６を孔部２２ｂに通してリング１６を引き出す。ワイヤ１２を本体部２０に取り付ける際も同様に、第１三日月板２２と第２三日月板２４との間にリング１６を通し、更に、リング１６を孔部２２ｃに通してリング１６を引き出す。通常状態においては、フック１４は、シャフト２６、２８に係合させてもよいし、図４に示すように、孔部２２ｂ、２２ｃの縁部に係合させてもよい。
【００３３】
次に、本実施形態の竹の子切断工具１の使用方法について説明する。まず、本体部２０に延長柱６０を連結し、更に、図４に示すように、ワイヤ１０、１２の他端部のリング１６、１６に連結具７２を接続して、一本のワイヤ７０に連結しておく。
【００３４】
次に、図１に示すように、第１三日月板２２及び第２三日月板２４の凹状側を竹に対向させる。次に、ワイヤ１０を竹の一方の側面（例えば、右側面を）に巻き返して、シャフト２６にフック１４を係合させる。同様に、ワイヤ１２を竹の他方の側面部（例えば、左側面を）に巻き返して、シャフト２６にフック１４を係合させる。そして、作業員は、延長柱６０を持って、ここで、第１三日月板２２及び第２三日月板２４の凹状側を竹に当接させながら、本体部２０を上方に移動させる。
【００３５】
竹の子の所定部位に本体部２０を位置付けた後、作業員がワイヤ７０を引っ張ることにより、ワイヤ１０、１２に張力がかかり、ワイヤ１０における巻き付け部分はシャフト２６側に移動しようとする。また、ワイヤ１２における竹の子に巻き付け部分はシャフト２８側に移動しようとする。
【００３６】
そして、ワイヤ１０、１２にさらに張力がかかると、ワイヤ１０、１２は竹の子に食い込んで横断する。このとき、ワイヤ１０、１２の移動量は同一であるため、ワイヤ１０、１２は、竹の子を左右両側から均等に横断する。その後、ワイヤ１０、１２が竹の子を完全に横断することにより、竹の子が切断される。
【００３７】
このように本実施形態によれば、竹の子の芯切りを容易にかつ確実に切断することが可能になり、しかも、刃物等を用いていないため切断作業の安全性が向上する。
【００３８】
また本実施形態によれば、支柱４０は、軸受け部４４を有しており、第１三日月板２２及び第２三日月板２４の三日月形状において突出している方向に回動する。これにより、させた状態を維持しながら、本体部２０を上方に移動させることが可能になるため、ワイヤ１０、１２を巻き付けた状態の本体部２０を円滑に移動させることが可能になる。また、第１三日月板２２及び第２三日月板２４の凹部に竹を対向させるため、本体部２０を上方に移動させる際に、竹が凹部に沿って第１三日月板２２及び第２三日月板２４の中央部に移動するようになる。これにより、竹が本体部２０から外れることが防止できる。
【００３９】
また本実施形態によれば、孔部２２ｂ、２２ｃに、ワイヤ１０、１２をガイドするローラ３０を設けたことにより、ワイヤ１０、１２を引っ張った際に、ワイヤ１０、１２の移動に沿ってローラ３０が回転する。これにより、ワイヤ１０、１２が第１三日月板２２に摺接することが低減され、ワイヤ１０、１２が傷むことを防止することができる。
【００４０】
また本実施形態によれば、シャフト２６、２８が第１三日月板２２及び第２三日月板２４によって支持されるため、シャフト２６、２８の強度が増加し、シャフト２６、２８にワイヤ１０、１２からの張力がかかった際に、シャフト２６、２８が破損することを防止することができる。
【００４１】
以上、本発明の一実施形態について説明したが、本発明は、上述した実施形態に限るものではない。例えば、上述した実施形態においては、第１三日月板２２及び第２三日月板２４の２枚の板を用いているが、シャフト２６、２８がワイヤ１０、１２に加えられる張力によって座屈しない強度を有するのであれば、第１三日月板２２のみでシャフト２６、２８を支持させてもよい。また、上述した実施形態においては、シャフト２６、２８にフック１４を係合させているが、フック１４が係合であれば、シャフト２６、２８でなくともよい。例えば、第１三日月板２２の両端部の一部を鉤状に切り起こし、この鉤状の部分にシャフト２６、２８を係合させてもよい。
【００４２】
また、第１三日月板２２及び第２三日月板２４の三日月形状には、図１に示す形状以外にも、例えば、長方形の一方の長辺を内側に湾曲させた形状や、コ字状の形状も含まれる。
【符号の説明】
【００４３】
１  竹の子切断工具
１０  ワイヤ
１２  ワイヤ
１４  フック
１６  リング
２０  本体部
２２  第１三日月板
２２ａ、２２ｂ、２２ｃ  孔部
２４  第２三日月板
２６、２８  シャフト
３０  ローラ
４０  支柱
４２  第１支柱部
４４  軸受け部
４６  第２支柱部
４８  円筒体
５０  スリット
５２  円孔
６０  延長柱
６２  ボルト
６４  ナット
７０  ワイヤ
７２  連結具
【図１】
2013099453.tif 000003
【図２】
2013099453.tif 000004
【図３】
2013099453.tif 000005
【図４】
2013099453.tif 000006